(57)【要約】【課題】スキャナ装置において、原稿を原稿カバー上から搬送する際の抵抗力を少なくし、製造コストを低減させても安定して原稿を搬送可能にする。【解決手段】  スキャナ装置の原稿カバー１１上の側方には、原稿カバー１１上に載置された原稿Ｇを所定の搬送方向（矢印Ｆで示す）に搬送するオートドキュメントフィーダ（以下、ＡＤＦと称する）２０が配置されている。原稿カバー１１上には、搬送位置に載置された原稿Ｇの搬送方向後端部よりもＡＤＦ２０寄りの部位に、ストッパ３０が配置されている。ストッパ３０が原稿Ｇに当接することにより、原稿Ｇは、搬送位置に載置された状態で、その搬送方向後端部近傍部位が上方に浮いた状態になる。原稿Ｇの原稿カバー１１の上面に当接する部位の面積が小さくなるので、原稿ＧがＡＤＦ２０により搬送される際の摩擦力や静電気力が小さくなる。【選択図】図３
2008160735.tif 000002
【特許請求の範囲】
【請求項１】
プリンタ筐体上方に配置されたスキャナ部と、そのスキャナ部の下方に配置され前記スキャナ部により読み取られた原稿の画像データ又は外部装置から入力された画像データに基づいて記録紙に画像を形成する機能を有する画像形成部とを備え、
前記スキャナ部は、
スキャナ筐体と、
前記スキャナ筐体の上面に配設された略矩形形状の原稿台と、
前記原稿台の側部近傍部位に配置された透過窓と、
前記原稿台及び前記透過窓を覆うように前記スキャナ筐体に開閉自在に配設された原稿カバーと、
前記原稿カバーの上面の搬送位置に載置された原稿のうち前記原稿カバー上面に当接しているものを前記透過窓に搬送すると共に、その透過窓に搬送された原稿を、前記原稿カバー上に載置されている原稿の上方から、その原稿カバー上に排出するオートドキュメントフィーダと、
前記原稿カバー上面の搬送位置に載置された原稿のうち、前記オードドキュメントフィーダへの搬送方向の後端縁を位置決めするように、前記原稿カバー上面から突出するように配置されたストッパとを有し、
前記オートドキュメントフィーダにより搬送された原稿又は前記原稿台に載置された原稿を画像データとして読み取る機能を有しており、
前記ストッパは、前記原稿カバーに回動可能に軸支されており、前記原稿カバーの上面から突出しない収納状態から回動されて前記原稿カバーの上面から突出し、原稿を位置決め可能な使用状態になるように構成されている画像形成装置において、
前記ストッパは、使用状態であるとき、その上端部が前記原稿カバー上面の搬送位置に載置された原稿の搬送方向後端縁よりも前方に位置するように配置されており、且つ、使用状態であるとき、その上端部から前記原稿カバー上面に近づくにつれ搬送方向に近づくように傾斜する傾斜部を有するように構成されており、
前記原稿カバー上面の搬送位置に載置された原稿が、前記ストッパの上端部に当接することにより、その原稿の搬送方向後端近傍部位が前記原稿カバー上面から上方に浮くように構成されており、
前記原稿カバー上に排出された原稿の先端部が、前記傾斜部又は前記原稿カバー上の原稿のうち前記原稿カバー上面から浮いている部位に当接することにより、排出された原稿が前記原稿カバー上に留まるように構成されており、
それにより、原稿の搬送時に前記原稿カバー上面とその原稿との間で生じる摩擦力が小さく、前記原稿カバーから原稿を安定して搬送するために必要な力が少なくなるように構成されており、製造コストが低減されていることを特徴とする画像形成装置。
【請求項２】
スキャナ筐体と、
前記スキャナ筐体上面に配設された略矩形形状の原稿台と、
前記原稿台を覆うように前記スキャナ筐体に開閉自在に配設された原稿カバーと、
前記原稿カバーの上面の搬送位置に載置された原稿のうち前記原稿カバー上面に当接しているものを搬送するオートドキュメントフィーダと、
前記原稿カバー上面の搬送位置に載置された原稿のうち、前記オードドキュメントフィーダへの搬送方向の後端縁を位置決めするように、前記原稿カバー上面から突出するように配置されたストッパとを有し、
前記オートドキュメントフィーダから搬送された原稿又は前記原稿台に載置された原稿を画像データとして読み取る機能を有するスキャナ装置であって、
前記ストッパは、その上端部が前記原稿カバー上面の搬送位置に載置された原稿の搬送方向後端縁よりも前方に位置するように配置されており、
前記原稿カバー上面の搬送位置に載置された原稿が、前記ストッパの上端部に当接することにより、その原稿の搬送方向後端近傍部位が前記原稿カバー上面から上方に浮くように構成されていることを特徴とするスキャナ装置。
【請求項３】
前記ストッパは、前記原稿カバーに回動可能に軸支されており、前記原稿カバーの上面から突出しない状態から回動されて前記原稿カバーの上面から突出し、前記原稿カバー上に載置される原稿に当接し得る状態になるように構成されていることを特徴とする請求項２に記載のスキャナ装置。
【発明の詳細な説明】
【技術分野】
【０００１】
本発明は、原稿を搬送しながら画像データとして読み取る機能を有するスキャナ装置、及びそれを用いた画像形成装置に関する。
【背景技術】
【０００２】
従来より、原稿を走査して画像データとして読み取る機能を有するスキャナ装置としては、原稿台上に原稿を押さえつけるために設けられた原稿カバー上に原稿を載置し、その原稿をオートドキュメントフィーダ（以下、ＡＤＦと称する）により搬送させ、原稿台上に原稿を載置する作業を行うことなく、原稿を容易に読み取り可能にしたものがある。このようなスキャナ装置のうち、原稿カバー上面が略水平であるようなものは、例えば原稿カバー上面から突出するようなストッパを設けることにより、原稿の搬送方向後端縁を位置決めして原稿が搬送方向とは反対方向に移動しないようにし、ＡＤＦに確実に原稿が搬送されるように構成されている。
【０００３】
図５は、上記のようなストッパを有する従来のスキャナ装置の一例を示す。図に示すように、スキャナ装置８３の原稿カバー８１１上面には、原稿Ｇが配置される。原稿Ｇは、原稿カバー８１１の側端部近傍部位に配設されているＡＤＦ８２０に向け、図に矢印Ｆで示すように搬送される。ここで、原稿カバー８１１の上面には、原稿カバー８１１上に載置された原稿Ｇの搬送方向後端縁が当接し得るようにストッパ８３０が突設されており、原稿Ｇが原稿カバー８１１上で、搬送方向とは反対方向に変位しないように構成されている。原稿Ｇは、ＡＤＦ８２０の搬送口８２０ａからＡＤＦ８２０内部に搬送された後、装置内部に収納されているスキャナ部（図示せず）により読み取られ、搬送口８２０ａの上部の排紙口８２０ｂから原稿カバー１１上に排出される。排出された排出原稿の先端部がストッパ８３０に当接することにより、排出原稿が、原稿カバー１１上に載置された原稿Ｇの上方に留まるように構成されている。
【０００４】
しかしながら、上述のような従来のスキャナ装置においては、原稿カバー８１１上に載置された原稿Ｇの略全面が原稿カバー８１１の上面に接触しているため、原稿Ｇの搬送時に、原稿Ｇと原稿カバー８１１の上面との間の摩擦力や、静電気力等による抵抗力が大きくなる。この抵抗力は、特に、例えばデザイン上の要請等により、原稿カバー８１１の上面が光沢面となるように構成されている場合や、原稿Ｇとの間で摩擦係数高くなるような素材が原稿カバー８１１に用いられたときに大きくなることがある。このように原稿Ｇの抵抗力が大きい場合には、安定して原稿Ｇを搬送するために、大きな搬送力が必要となる。そのため、例えば、その搬送力を与えるためのモータとして比較的高価で大型である出力が大きいものを搭載したりする必要があり、スキャナ装置８３の製造コストが高くなり、消費電力も大きくなる。
【０００５】
ここで、特許文献１には、排紙トレイの表面に帯状突起を形成することにより、原稿の摩擦や吸着を軽減した原稿搬送装置が示されている。しかしながら、例えば上記のようにデザイン上の要請等があるとき等、原稿カバー上に帯状突起等を設けることができない場合には適用することができず、上記問題を解決できない。
【０００６】
なお、特許文献２には両面印刷装置に用いられる一時収納トレイ上に用紙ストッパを設け、片面印刷後に排出された印刷用紙が当接して停止するようにした構造が示されている。また、特許文献３には、片面印刷後の用紙が未使用の用紙上にスタックされるように構成された両面印刷装置において、開閉可能に設けた用紙ストッパを設けることにより、片面印刷後の用紙を給紙ローラに届かない位置に停止させるようにした構造が示されている。しかしながら、これら特許文献２及び特許文献３には、上記問題点に対する有効な解決策、すなわち、例えば、原稿搬送時の抵抗力が小さくなるような構成等は示されていない。
【特許文献１】実公平６‐２２６９７号公報
【特許文献２】特開平８‐５９０９６号公報
【特許文献３】特開平９‐４０３０４号公報
【発明の開示】
【発明が解決しようとする課題】
【０００７】
本発明は、上記問題点を鑑みてなされたものであり、原稿を原稿カバー上から搬送する際の抵抗力が少なく、製造コストを低減可能で消費電力が低いスキャナ装置及びそれを用いた画像形成装置を提供することを目的とする。
【課題を解決するための手段】
【０００８】
上記目的を達成するため、請求項１の発明は、プリンタ筐体上方に配置されたスキャナ部と、そのスキャナ部の下方に配置され前記スキャナ部により読み取られた原稿の画像データ又は外部装置から入力された画像データに基づいて記録紙に画像を形成する機能を有する画像形成部とを備え、前記スキャナ部は、スキャナ筐体と、前記スキャナ筐体の上面に配設された略矩形形状の原稿台と、前記原稿台の側部近傍部位に配置された透過窓と、前記原稿台及び前記透過窓を覆うように前記スキャナ筐体に開閉自在に配設された原稿カバーと、前記原稿カバーの上面の搬送位置に載置された原稿のうち前記原稿カバー上面に当接しているものを前記透過窓に搬送すると共に、その透過窓に搬送された原稿を、前記原稿カバー上に載置されている原稿の上方から、その原稿カバー上に排出するオートドキュメントフィーダと、前記原稿カバー上面の搬送位置に載置された原稿のうち、前記オードドキュメントフィーダへの搬送方向の後端縁を位置決めするように、前記原稿カバー上面から突出するように配置されたストッパとを有し、前記オートドキュメントフィーダにより搬送された原稿又は前記原稿台に載置された原稿を画像データとして読み取る機能を有しており、前記ストッパは、前記原稿カバーに回動可能に軸支されており、前記原稿カバーの上面から突出しない収納状態から回動されて前記原稿カバーの上面から突出し、原稿を位置決め可能な使用状態になるように構成されている画像形成装置において、前記ストッパは、使用状態であるとき、その上端部が前記原稿カバー上面の搬送位置に載置された原稿の搬送方向後端縁よりも前方に位置するように配置されており、且つ、使用状態であるとき、その上端部から前記原稿カバー上面に近づくにつれ搬送方向に近づくように傾斜する傾斜部を有するように構成されており、前記原稿カバー上面の搬送位置に載置された原稿が、前記ストッパの上端部に当接することにより、その原稿の搬送方向後端近傍部位が前記原稿カバー上面から上方に浮くように構成されており、前記原稿カバー上に排出された原稿の先端部が、前記傾斜部又は前記原稿カバー上の原稿のうち前記原稿カバー上面から浮いている部位に当接することにより、排出された原稿が前記原稿カバー上に留まるように構成されており、それにより、原稿の搬送時に前記原稿カバー上面とその原稿との間で生じる摩擦力が小さく、前記原稿カバーから原稿を安定して搬送するために必要な力が少なくなるように構成されており、製造コストが低減されているものである。
【０００９】
請求項２の発明は、スキャナ筐体と、前記スキャナ筐体上面に配設された略矩形形状の原稿台と、前記原稿台を覆うように前記スキャナ筐体に開閉自在に配設された原稿カバーと、前記原稿カバーの上面の搬送位置に載置された原稿のうち前記原稿カバー上面に当接しているものを搬送するオートドキュメントフィーダと、前記原稿カバー上面の搬送位置に載置された原稿のうち、前記オードドキュメントフィーダへの搬送方向の後端縁を位置決めするように、前記原稿カバー上面から突出するように配置されたストッパとを有し、前記オートドキュメントフィーダから搬送された原稿又は前記原稿台に載置された原稿を画像データとして読み取る機能を有するスキャナ装置であって、前記ストッパは、その上端部が前記原稿カバー上面の搬送位置に載置された原稿の搬送方向後端縁よりも前方に位置するように配置されており、前記原稿カバー上面の搬送位置に載置された原稿が、前記ストッパの上端部に当接することにより、その原稿の搬送方向後端近傍部位が前記原稿カバー上面から上方に浮くように構成されているものである。
【００１０】
請求項３の発明は、請求項２の発明において、前記原稿カバーに回動可能に軸支されており、前記原稿カバーの上面から突出しない収納状態から回動されて前記原稿カバーの上面から突出し、前記原稿カバー上に載置される原稿に当接し得る使用状態となるように構成されているものである。
【発明の効果】
【００１１】
請求項１の発明によれば、原稿カバー上面の搬送位置に載置された原稿の搬送方向後端近傍部位が、ストッパの上端部に当接して、原稿カバー上面から浮くので、原稿の搬送時に、原稿と原稿カバー上面との間で生じる摩擦力や静電気力が小さくなる。従って、原稿搬送時の抵抗力が小さくなるので、例えば小型で低出力なモータ等により、小さな搬送力で安定して原稿を搬送することが可能になり、画像形成装置の製造コストを低減し、また、消費電力を小さくすることが可能になる。また、原稿カバー上に排出された原稿の先端部が、ストッパの傾斜部や原稿カバー上の原稿のうち原稿カバー上面から浮いている部位に当接して原稿カバー上に留まるので、排出される原稿を原稿カバー上に留めるための部材を別途用いる必要がなく、画像形成装置を簡易に構成し、製造コストをさらに低減することができる。
【００１２】
請求項２の発明によれば、原稿カバー上面の搬送位置に載置された原稿の搬送方向後端近傍部位が、ストッパの上端部に当接して、原稿カバー上面から浮くので、上述と同様に、原稿の搬送時の抵抗力が小さくなり、小さな搬送力で安定して原稿を搬送することが可能になり、スキャナ装置の製造コストを低減し、また、消費電力を小さくすることが可能になる。
【００１３】
請求項３の発明によれば、ストッパが原稿カバーに軸支されており、原稿カバー上面から突出しない状態から回動されて原稿に当接し得る状態になるように構成されているので、オートドキュメントフィーダを使用しないときには原稿カバー上からストッパが突出しないようにして、スキャナ装置の外観をより良くすることが可能になる。
【発明を実施するための最良の形態】
【００１４】
以下、本発明の一実施形態について図面を参照しつつ説明する。図１は、本実施形態に係る画像形成装置の一例を示す。この画像形成装置１は、いわゆるオールインワン型のものであり、樹脂製のプリンタ筐体１０の内部に収納された画像形成部２と、そのプリンタ筐体１０の上方に、その後端部がプリンタ筐体１０に水平に回動可能に軸支された状態で配置され、後述するように原稿Ｇを画像データとして読み取る略直方体形状のスキャナ部３（スキャナ装置）と、プリンタ筐体１０の前部に配置された外部から操作可能な操作ボタン４及び画像形成装置１の動作状態等を表示する液晶表示部５と、例えばプリンタ筐体１０の前面に配置され、例えばデジタルスチルカメラやメモリーカード等の外部機器が接続されるコネクタ部７等を有している。操作ボタン４及び液晶表示部５は、プリンタ筐体１０前部に開閉可能に設けられた操作パネル１０ａ上に配置され、画像形成装置１の収納時等には操作パネル１０ａを閉状態にして外部に露出しないようにしておくことができるように構成されている。
【００１５】
プリンタ筐体１０の背面には、画像形成部２に搬送される記録紙（図示せず）がセットされる給紙トレイ１５が設けられており、画像形成部２の前面には、画像形成部２により画像が形成された記録紙が排出される排紙トレイ１６が設けられている。スキャナ部３の上部には、プリンタ筐体１０とは別体に構成されたスキャナ筐体１２の上面を覆うように、スキャナ筐体１２に対し開閉自在に原稿カバー１１が配設されている。また、スキャナ部３の上部には、原稿カバー１１上の原稿トレイ２５に載置された原稿Ｇを、スキャナ部３に読み取り可能に順次搬送する機能を有するオートドキュメントフィーダ（以下、ＡＤＦと称する）２０が配設されている。この画像形成装置１は、例えば、コネクタ部７等に接続された外部機器や、例えばプリンタ筐体１０の背部に設けられたコネクタを介して接続された外部のパーソナルコンピュータ等から入力された画像データ等や、スキャナ部３により読み取られた画像データ等を用いて、画像形成部２により記録紙に画像を形成する機能を有している。
【００１６】
画像形成部２は、いわゆるインクジェット方式により記録紙に画像を形成する。画像形成部２は、例えば、記録紙を給紙トレイ１５から一枚ずつプリンタ筐体１０の内部に給紙して、排紙トレイ１６上に排出するローラやローラを駆動するモータ等を有する記録紙搬送機構（図示せず）や、プリンタ筐体１０の内部に搬送された記録紙にインクを吐出するヘッドを搭載したキャリッジ２ａや、キャリッジ２ａを記録紙の搬送方向に略直交する方向に往復駆動させるモータ及び駆動ベルト（図示せず）等で構成されている。なお、画像形成部２は、例えば電子写真方式や熱転写方式等により記録紙に画像を形成するようなものであってもよい。
【００１７】
スキャナ部３は、いわゆるフラットベッド型のものであり、スキャナ筐体１２の上面に配置された略矩形形状の原稿台３ａと、その原稿台３ａの側方に、画像形成装置１の前後方向が長手方向となるように帯状に配置された透過窓３ｂとを有している。原稿台３ａ及び透過窓３ｂは、例えばガラス板により構成されている。スキャナ部３の原稿台３ａ及び透過窓３ｂは、原稿カバー１１により覆われている。原稿カバー１１の上面は、ＡＤＦ２０により搬送される原稿Ｇが載置される原稿トレイ２５を兼ねている。本実施形態において、ＡＤＦ２０は、原稿カバー１１の上部の側方に配置されている。そして、ＡＤＦ２０の内部には、原稿トレイ２５上の原稿Ｇを一枚ずつ給紙する給紙機構や、原稿Ｇを搬送するため搬送ローラ等が、原稿搬送路カバー２２により覆われた状態で配置されている。ＡＤＦ２０の原稿トレイ２５の中央側下部には、原稿Ｇを差込可能に開口した搬送口２０ａが設けられている。また、ＡＤＦ２０のうち搬送口２０ａの上部には、原稿トレイ２５の中央側に向け搬送口２０ａと略同幅に開口した排紙口２０ｂが設けられている。本実施形態において、原稿Ｇは、その原稿Ｇの一端部が搬送口２０ａに差し込まれるようにして原稿トレイ２５上の所定の搬送位置に載置される。ＡＤＦ２０は、搬送位置に載置された原稿Ｇのうち、最も下方のものを、すなわち原稿カバー１１の上面に当接しているものを、図の矢印Ｆで示す搬送方向に搬送する。そして、ＡＤＦ２０は、ＡＤＦ２０に搬送された原稿Ｇを、その内部に構成された原稿搬送路に沿わせて上方に曲げた後、載置された状態から裏表逆になるような状態で、排紙口２０ｂから原稿カバー１１上に排出する。
【００１８】
原稿カバー１１上のうち、原稿Ｇの搬送位置となる部位の後方、及び前方には、それぞれ、突起部２６，２７が配置されており、搬送位置に載置された原稿Ｇの搬送方向両側端部が突起部２６，２７により位置決めされるように構成されている。また、原稿カバー１１上のうち、原稿Ｇの搬送位置となる部位の搬送方向後端部近傍部位には、ストッパ３０が配置されている。
【００１９】
スキャナ筐体１２の内部には、例えば、モータ（図示せず）と、モータにより駆動されるＣＩＳ（Contact Image Sensor）等で構成された、原稿Ｇを画像データとして読み取るための読取部（図示せず）が収納されている。スキャナ部３は、原稿台３ａに沿ってＣＩＳをスキャナ筐体１２の内部で移動させ、ＣＩＳにより原稿台３ａに載置された原稿Ｇを撮像し、その原稿Ｇを画像データとして読み取る。また、スキャナ部３は、ＡＤＦ２０により原稿Ｇを搬送させながら、搬送される原稿Ｇの表面を透過窓３ｂを通してＣＩＳにより読み取ることにより、その原稿Ｇを画像データとして読み取る。なお、スキャナ部３は、例えばＣＣＤ等の撮像素子を用いた読取部により原稿Ｇを読み取り可能に構成されていてもよい。
【００２０】
図２は、原稿カバー１１へのストッパ３０の取り付け構造を示す。原稿カバー１１の原稿Ｇの搬送位置のうち、搬送方向後端部近傍部位には、原稿カバー１１の上面から窪むように形成された収納孔１１ａが形成されている。ストッパ３０は、その収納孔１１ａの搬送方向後端部近傍部位に、画像形成装置１の前後方向に軸支された回動軸３０ｂによりストッパ３０の一端部近傍部位が軸支され、原稿カバー１１に対して回動可能に配置されている。図に示すように、ストッパ３０は、原稿Ｇが原稿カバー１１上に載置されて読み取られる使用時には、画像形成装置１の前方から見て山形状を成すように、原稿カバー１１の上面から上方に突出するように形成されている。また、ストッパ３０は、このような使用状態であるとき、回動軸３０ｂが軸支されている端部とは反対側となる、搬送方向側の端部近傍部位が、ストッパ３０の山形状の上端部から原稿カバー１１の上面に近づくにつれて搬送方向に近づくように傾斜するような、ＡＤＦ２０に面する傾斜部３０ａを成すように形成されている。
【００２１】
ここで、ストッパ３０は、ＡＤＦ２０により原稿Ｇを読み取らないとき等には、上述のような使用状態から、原稿カバー１１の上面から突出した部位が下方に変位する向きに回動され、収納孔１１ａ内に収まり、原稿カバー１１の上面から突出しない収納状態にすることができるように構成されている。これにより、使用時以外では、原稿カバー１１の上面からの突出物を少なくすることができ、画像形成装置１の外観がより良くなる。
【００２２】
図３（ａ）、（ｂ）及び図４は、原稿カバー１１の上面の搬送位置に、原稿Ｇが載置された状態を示す。ストッパ３０は、原稿カバー１１の上面から突出した使用状態であるとき、その上端部が、搬送位置に載置された原稿Ｇの搬送方向後端縁よりも搬送方向前方に位置するように配置されている。すなわち、本実施形態においては、図３（ａ）及び図４に示すように、原稿Ｇが搬送位置に載置された状態で、ストッパ３０の上端部に当接し、その原稿Ｇの搬送方向後端近傍部位が原稿カバー１１の上面から上方に浮く。そして、このように原稿Ｇの一部が浮いた状態で、ＡＤＦ２０により原稿Ｇが搬送されると、載置されている原稿Ｇのうち、最も下方で原稿カバー１１に当接するものが、原稿カバー１１の上面に摺接しながらＡＤＦ２０に向けて搬送される。
【００２３】
一方、原稿Ｇがスキャナ部３により読み取られ、排出されるときには、図３（ｂ）に示すように、原稿カバー１１の上に排出された排出原稿Ｇ１の排出方向（図に矢印Ｈで示す方向）先端部が、傾斜部３０ａ又は原稿カバー１１上の原稿Ｇのうち原稿カバー１１上面から浮いている部位に当接することにより、排出原稿Ｇ１の原稿カバー１１上で排出方向へスライド続けることなく、原稿カバー１１上に留まるように構成されている。
【００２４】
このように、この画像形成装置１では、原稿カバー１１上面の搬送位置に載置された原稿Ｇの搬送方向後端近傍部位が、ストッパ３０の上端部に当接して、原稿カバー１１の上面から浮くので、原稿Ｇの搬送時に、原稿Ｇの原稿カバー１１に当接する部位の面積が小さくなり、原稿Ｇと原稿カバー１１の上面との間で生じる摩擦力や静電気力が小さくなる。従って、原稿Ｇを搬送する際の抵抗力が小さくなるので、ＡＤＦ２０では、例えば小型で低出力なモータ等を用いて、小さな搬送力で安定して原稿を搬送することが可能になり、画像形成装置１の製造コストを低減し、また、消費電力を小さくすることが可能になる。また、排出原稿Ｇ１の先端部が、ストッパ３０の傾斜部３０ａや原稿カバー１１上の原稿Ｇのうち原稿カバー１１上面から浮いている部位に当接して、排出原稿Ｇ１が原稿カバー１１上に留まるので、排出原稿Ｇ１を原稿カバー１１上に留めるための部材を別途用いる必要がなく、画像形成装置１を簡易に構成し、製造コストをさらに低減することができる。
【００２５】
なお、本発明は上記実施形態の構成に限定されるものではなく、発明の趣旨を変更しない範囲で適宜に種々の変形が可能である。例えば、ストッパは、常に原稿カバー上から突出するように配置されていてもよく、原稿カバーと一体に形成されていてもよい。また、本発明は、ＡＤＦにより搬送された原稿が排出される際、原稿カバー１１上ではなく、例えば排紙口２０ｂに取り付けられ、ＡＤＦから排出された排出原稿が積載される排紙トレイ上に排出されるように構成された画像形成装置にも適用可能である。さらにまた、本発明は、画像形成機能を有さないような、ＡＤＦを搭載したスキャナ装置にも適用可能である。
【図面の簡単な説明】
【００２６】
【図１】本発明の一実施形態に係る画像形成装置の一例を示す斜視図。
【図２】上記装置のストッパの取り付け構造を示す斜視図。
【図３】（ａ）は上記装置の原稿カバー上に載置された原稿が搬送されるときを示す斜視図、（ｂ）は同原稿がＡＤＦから排出されるときを示す斜視図。
【図４】上記装置の原稿カバー上に載置された原稿が搬送されるときを示す側断面図。
【図５】従来のスキャナ装置の原稿カバー上に載置された原稿が搬送されるときを示す側断面図。
【符号の説明】
【００２７】
１  画像形成装置
２  画像形成部
３  スキャナ部（スキャナ装置）
３ａ  原稿台
３ｂ  透過窓
１０  プリンタ筐体
１１  原稿カバー
１２  スキャナ筐体
２０  ＡＤＦ（オートドキュメントフィーダ）
３０  ストッパ
３０ａ  傾斜部
Ｆ  搬送方向
Ｇ  原稿
Ｇ１  排出原稿
【図１】
2008160735.tif 000003
【図２】
2008160735.tif 000004
【図３】
2008160735.tif 000005
【図４】
2008160735.tif 000006
【図５】
2008160735.tif 000007